(57)【特許請求の範囲】
【請求項１】
燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を装着するポケットを内側に設けた衣類本体とを具備し、前記ポケットに前記触媒燃焼加熱部への外気の供給と排気ガスを排出する吸気用の通気部および排気用の通気部を設けて前記発熱部を保持するとともに、前記吸気用の通気部を前記排気用の通気部より上方に配置した暖房装置。
【請求項２】
発熱部で加熱された空気が空気流拡散用通路に流入するように導入部を設けた請求項１記載の暖房装置。
【請求項３】
ポケットの開口部に開閉自在なカバーを設けた請求項１記載の暖房装置。
【請求項４】
ポケットを断熱材で構成した請求項１記載の暖房装置。
【請求項５】
発熱部の表面に断熱材を設けた請求項１記載の暖房装置。
【請求項６】
衣類本体の内面に排気用の通気部を設けるとともに、外面に吸気用の通気部を設けた請求項１記載の暖房装置。
【請求項７】
衣類本体の外面に排気用の通気部を設けるとともに、内面に吸気用の通気部を設けた請求項１記載の暖房装置。
【請求項８】
衣類本体の背面に排気用の通気部を設けるとともに、前面に吸気用の通気部を設けた請求項１記載の暖房装置。
【請求項９】
衣類本体の背面に吸気用の通気部を設けるとともに、前面に排気用の通気部を設けた請求項１記載の暖房装置。
【発明の詳細な説明】
【０００１】
【発明の属する技術分野】
本発明は、加熱装置により人体を暖める暖房装置に関するものである。
【０００２】
【従来の技術】
従来、人体を暖める温熱用具としては、商用電源等を利用した加熱装置を衣服の内部に設けた専用のものが一般的であった。また、酸化鉄粉の化学的反応から得られる熱を利用する使い捨てカイロに粘着剤を付加し、人体の任意の部位に貼り付けて、人体を局部的に暖めるものも考えられている。
【０００３】
【発明が解決しようとする課題】
このような従来の温熱用具では、用途に応じて、加熱装置を内部に設けた専用衣服を用意しなければならないという問題を有していた。また、商用電源を利用するものにあっては、電源コードを設けて商用電源に接続する必要があり、電源のない屋外で使用する用途には対応できないという問題を有していた。また、使い捨てカイロ等の場合は、その構成から人体の暖められる部位が局部的で、人体を効果的に暖めることができないという問題を有していた。
【０００４】
本発明は上記課題を解決するもので、用途に応じて、加熱装置を内部に設けた専用の衣服を用意する必要がなく、また、商用電源に接続することなく任意の場所で使用でき、人体の広い範囲を効率よく暖められる暖房装置を提供することを目的としている。
【０００５】
【発明が解決するための手段】
本発明は上記目的を達成するために、触媒燃焼加熱部を任意の温度に制御する制御部を有する発熱部と、前記発熱部を装着するポケットを内側に設けた衣類本体とを具備し、前記ポケットに前記触媒燃焼加熱部への外気の供給と排気ガスを排出する吸気用の通気部および排気用の通気部を設けて前記発熱部を保持するとともに、前記吸気用の通気部を前記排気用の通気部より上方に配置したものである。
【０００６】
これにより、用途に応じて、加熱装置を内部に設けた専用衣服を用意する必要なく、また、商用電源に接続することなく任意の場所で使用でき、人体の広い範囲を効率よく暖めることができる。また、排気用の通気部より排出された排気ガスは下方へ流動するので、吸気用の通気部から排気ガスを吸い込む恐れがなく、安定した触媒燃焼が確保される。
【０００７】
【発明の実施の形態】
本発明の請求項１に記載の発明は、燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を装着するポケットを内側に設けた衣類本体とを具備し、前記ポケットに前記触媒燃焼加熱部への外気の供給と排気ガスを排出する吸気用の通気部および排気用の通気部を設けて前記発熱部を保持するとともに、前記吸気用の通気部を前記排気用の通気部より上方に配置したものであり、商用電源に接続することなく、任意の場所で人体を暖めることができるとともに、用途に応じて、加熱装置を内部に設けた専用衣服を用意する必要がなくなる。また、排気用の通気部より排出された排気ガスは下方へ流動するので、吸気用の通気部から排気ガスを吸い込む恐れがなく、安定した触媒燃焼が確保される。
【０００８】
請求項２に記載の発明は、上記請求項１に記載の説明において、発熱部で加熱された空気が空気流拡散用通路に流入するように導入部を設けたものであり、熱を効率よく人体に伝達して、良好な加温性を得ることができる。
【０００９】
請求項３に記載の発明は、上記請求項１に記載の説明において、ポケットの開口部に開閉自在なカバーを設けたものであり、発熱部で加熱された空気を効率よく空気流拡散用通路に流入することができ、熱を効率よく人体に伝達して、良好な加温性を得ることができる。
【００１０】
請求項４に記載の発明は、上記請求項１に記載の説明において、ポケットを断熱材で構成したものであり、発熱部で発生する熱が直接人体に伝わるのを防止することができる。
【００１１】
請求項５に記載の発明は、上記請求項１に記載の説明において、発熱部の表面に断熱材を設けたものであり、発熱部で発生する熱が直接人体に伝わるのを防止することができる。
【００１２】
請求項６に記載の発明は、上記請求項１に記載の説明において、衣類本体の内面に排気用の通気部を設けるとともに、外面に吸気用の通気部を設けたものであり、外部から常に十分な空気を取り込んで触媒燃焼加熱部に供給することができ、安定した触媒燃焼が確保される。
【００１３】
請求項７に記載の発明は、上記請求項１に記載の説明において、衣類本体の外面に排気用の通気部を設けるとともに、内面に吸気用の通気部を設けたものであり、外部に排気ガスを排出するので衣類本体の内部に排気ガスが充満するのを防止することができる。
【００１４】
請求項８に記載の発明は、上記請求項１に記載の説明において、衣類本体の背面に排気用の通気部を設けるとともに、前面に吸気用の通気部を設けたものであり、排気用の通気部と吸気用の通気部が離れているので、排気ガスが触媒燃焼加熱部に供給されるのを防止することができ、安定した触媒燃焼が確保される。
【００１５】
請求項９記載の発明は、上記請求項１に記載の説明において、衣類本体の背面に吸気用の通気部を設けるとともに、前面に排気用の通気部を設けたものであり、排気用の通気部と吸気用の通気部が離れているので、排気ガスが触媒燃焼加熱部に供給されるのを防止することができ、安定した触媒燃焼が確保される。
【００１６】
【実施例】
以下、本発明の実施例について図面を参照しながら説明する。
【００１７】
（実施例１）
図１〜図３に示すように、発熱部１は、燃料ガスを貯蔵する着脱自在な燃料タンク２と、この燃料タンク２から供給管３を介して供給される燃料ガスと空気を酸化反応させて熱を発生させる触媒燃焼加熱部４と、この触媒燃焼加熱部４で発生する熱を検知して同触媒燃焼加熱部４を任意の温度に制御する制御部５を有している。
【００１８】
衣類本体６の内側の下部にはポケット７が設けてあり、前記発熱部１を収容して衣類本体６に保持することができる。前記ポケット７には通気部８が設けてあり、触媒燃焼に必要な空気の取り入れと燃焼ガスを排出することができる。通気部８は、例えばメッシュ状やネット状の生地、あるいは、孔のあいたハトメ等を衣類本体６に取り付けて、空気が容易に流通するように形成している。
【００１９】
ポケット７の上方には、衣類本体６の内側に空気流拡散用通路９が設けてあり、ポケット７内の発熱部１から放出される熱は、発熱部１の上方に対向して形成した導入部１０から空気流拡散用通路９内に流入し、衣類本体６の背面の広い範囲に暖気を流動拡散させることができる。上記導入部１０もメッシュ状やネット状の生地により形成し、暖気が空気流拡散用通路９内へ容易に流入する構成としている。
【００２０】
上記構成により、熱源が燃料タンク２内に貯蔵した液化燃料ガスであるため、商用電源に接続することなく、任意の場所で人体を暖めることができる。また、衣類本体６の内側に発熱部１を保持するポケット７を設けるとともに、このポケット７に通気部８を形成しているため、ポケット７の外部から常に十分な空気を取り込んで触媒燃焼加熱部４に供給することができ、また、ポケット７の外部へ排気ガスを排出することができるので、衣類本体６の内部に排気ガスが充満するのを防止することができ、安定した触媒燃焼を確保することができる。
【００２１】
したがって、衣服本体６の上から制服などの用途に応じた外部衣服を着用することで、加熱装置を内部に設けた専用衣服をその用途毎に用意する必要がなく、任意の外部衣服を着用することができ、使い勝手を向上することができるとともに、発熱部１で加熱された空気が導入部１０を通って空気流拡散用通路９に流入されるので、暖気を背部全体に拡散することができ、効率よく人体に伝達して、良好な加温性を得ることができる。
【００２２】
（実施例２）
図４および図５に示すように、衣類本体１１の外側の下部にはポケット１２が設けてあり、このポケット１２に発熱部１を収容して衣類本体１１に保持するとともに、カバー１３によりポケット１２の開口部を開閉自在に塞ぐように設けられている。他の構成は上記実施例１と同じである。
【００２３】
上記構成により、発熱部１を保持するポケット１２は衣類本体１１の外側に設けられ、そのポケット１２には通気部８が設けられているので、十分な空気を触媒燃焼加熱部４に供給することができ、また、ポケット１２の外部に排気ガスを排出するので衣類本体１１の内部に排気ガスが充満するのを防止することができ、安定した燃焼を確保することができる。
【００２４】
したがって、発熱部１で加熱された空気が導入部１０を通って空気流拡散用通路９に流入するので、背部全体に拡散することができ、効率よく人体に伝達して、良好な加温性を得ることができるとともに、ポケット１２の開口部がカバー１３で閉じられているので、発熱部１で加熱された空気が外部へ流出することがなく、効率よく空気流拡散用通路９に流入させることができ、背部全体の広い範囲に暖気を拡散させて効率よく人体に伝達して、良好な加温性を得ることができる。
【００２５】
（実施例３）
図２に示した発熱部１を保持するポケット７を断熱材で構成したものである。他の構成は上記実施例１と同じである。
【００２６】
上記構成により、発熱部１の表面が断熱材で覆われるので、発熱部１で発生した熱は外部への放出が少なく、効率よく人体に伝達して、良好な加温性を得ることができる。そして、発熱部１が比較的高温になっても、断熱材により発熱部１の熱が直接人体に伝わることを防止することができる。
【００２７】
（実施例４）
図６に示すように、発熱部１の表面に断熱材１４を設けたものである。他の構成は上記実施例１と同じである。
【００２８】
上記構成により、発熱部１の表面が断熱材１４で覆われるので、発熱部１で発生した熱は外部への放出が少なく、効率よく人体に伝達して、良好な加温性を得ることができる。そして、発熱部１が比較的高温になっても、断熱材１４により発熱部１の熱が直接人体に伝わることを防止することができる。
【００２９】
（実施例５）
図７に示すように、排気用の通気部１５を衣類本体６の内面に設けるとともに、吸気用の通気部１６を衣類本体６の外面に設けている。上記通気部１５および１６は、実施例１と同様に、例えばメッシュ状やネット状の生地、あるいは、孔のあいたハトメ等を衣類本体６に取り付けて、空気が容易に流通するように形成している。他の構成は上記実施例１と同じである。
【００３０】
上記構成により、吸気用の通気部１６が衣服本体６の外部にあるので、常に十分な空気を取り込め、触媒燃焼加熱部４に供給することができるとともに、排気用の通気部１５を衣類本体６の内面に設けているので、排気用の通気部１５から排出された排ガスを吸気用の通気部１６から吸い込む恐れがなく、安定した触媒燃焼が確保される。
【００３１】
なお、排気用の通気部１５を衣類本体６の外面に設けるとともに、吸気用の通気部１６を衣類本体６の内面に設けた場合は、排気ガスは衣服本体６の外部に排出され、衣服本体６の内部に充満するのを防止することができるとともに、排気用の通気部１５から排出された排ガスを吸気用の通気部１６から吸い込む恐れがなく、安定した触媒燃焼が確保される。
【００３２】
（実施例６）
図８に示すように、触媒燃焼加熱部４に設けたパイプ状の排気用の通気部１７を衣類本体１８の背面に配置し、衣類本体１８の外部と連通するようにその先端部を突出させるとともに、一端を触媒燃焼加熱部４に接続したパイプ状の吸気用の通気部１９の他端を衣類本体１８の前面に配置し、衣類本体１８の外部と連通するようにその先端部を突出させている。他の構成は上記実施例１と同じである。
【００３３】
上記構成により、排気用の通気部１７と吸気用の通気部１９が人体を介して離れているので、排気用の通気部１７から排出された排ガスを吸気用の通気部１９より吸い込むことがなく、安定した触媒燃焼が確保される。
【００３４】
なお、排気用の通気部１７を衣類本体１８の背面から突出させ、吸気用の通気部１９を衣類本体１８の前面から突出させた場合も、同様の効果が得られるものである。
【００３５】
（実施例７）
図７に示すように、排気用の通気部１５を吸気用の通気部１６より上方に配置したものである。他の構成は上記実施例１と同じである。
【００３６】
上記構成により、排気用の通気部１５から排出された排気ガスは、発熱部１で暖められた空気とともに背部全体の広い範囲に拡散するので、暖気を効率よく人体に伝達して、良好な加温性を得ることができる。
【００３７】
（実施例８）
図９に示すように、排気用の通気部２０を吸気用の通気部２１より下方に配置したものである。他の構成は上記実施例２と同じである。
【００３８】
上記構成により、排気用の通気部２０より排出された排気ガスは、外気に触れて冷却され下方へ流れるので、排気用の通気部２０から排出された排ガスを、吸気用の通気部２１から吸い込む恐れがなく、安定した触媒燃焼が確保される。
【００３９】
（実施例９）
図１０に示すように、発熱部１を外から覆うように着用する外部衣服２２は、触媒燃焼加熱部４に供給する空気を取り入れる開口部２３ａまたは２３ｂを有し、この開口部２３ａまたは２３ｂのいずれかと対向するように、衣服本体２４に設けた複数のポケット２５ａ，２５ｂの１つに発熱部１を収容するようにしたものである。他の構成は上記実施例１と同じである。
【００４０】
上記構成により、外部衣服２２に設けられている開口部２３ａまたは２３ｂと対向するように、あるいは、近接するように発熱部１を衣服本体２４に取り付け可能であり、外部衣服２２に開口部２３ａが設けられているときは、発熱部１をポケット２５ａに収容し、外部衣服２２に開口部２３ｂが設けられているときは、発熱部１をポケット２５ｂに収容することにより、外部から常に十分な空気を取り込んで触媒燃焼加熱部４に供給することができ、任意の外部衣服２２を着用した場合でも安定した触媒燃焼を確保することができる。
【００４１】
【発明の効果】
以上のように本発明の請求項１に記載の発明によれば、燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を装着するポケットを内側に設けた衣類本体とを具備し、前記ポケットに前記触媒燃焼加熱部への外気の供給と排気ガスを排出する吸気用の通気部および排気用の通気部を設けて前記発熱部を保持するとともに、前記吸気用の通気部を前記排気用の通気部より上方に配置したから、商用電源に接続することなく、任意の場所で人体を暖めることができるとともに、用途に応じて、加熱装置を内部に設けた専用衣服を用意する必要がなく、任意の外部衣服を着用することができるとともに、排気ガスが触媒燃焼加熱部に供給されるのを防止することができ、安定した触媒燃焼を確保することができる。
【００４２】
また、請求項２に記載の発明によれば、発熱部で加熱された空気が空気流拡散用通路に流入するように導入部を設けたから、発熱部で加熱した空気を通気部から空気流拡散用通路に流入させて広い範囲に拡散させることができ、人体を効率よく暖めることができる。
【００４３】
また、請求項３に記載の発明によれば、ポケットの開口部に開閉自在なカバーを設けたから、発熱部で加熱した空気を通気部から空気流拡散用通路に流入させて広い範囲に拡散させることができ、人体を効率よく暖めることができる。
【００４４】
また、請求項４に記載の発明によれば、ポケットを断熱材で構成したから、発熱部で発生する熱の外部への放出を少なくして人体を効率よく暖めることができるとともに、発熱部の熱が直接人体に伝わるのを防止することができる。
【００４５】
また、請求項５に記載の発明によれば、発熱部の表面に断熱材を設けたから、発熱部で発生する熱が直接人体に伝わるのを防止することができる。
【００４６】
また、請求項６に記載の発明によれば、衣類本体の内面に排気用の通気部を設けるとともに、外面に吸気用の通気部を設けたから、排気ガスが触媒燃焼加熱部に供給されることがなく、外部から常に十分な空気を取り込んで触媒燃焼加熱部に供給することができ、安定した触媒燃焼が得られる。
【００４７】
また、請求項７に記載の発明によれば、衣類本体の外面に排気用の通気部を設けるとともに、内面に吸気用の通気部を設けたから、排気ガスが触媒燃焼加熱部に供給されることがなく、外部に排気ガスを排出するので衣類本体の内部に排気ガスが充満するのを防止することができる。
【００４８】
また、請求項８に記載の発明によれば、衣類本体の背面に排気用の通気部を設けるとともに、前面に吸気用の通気部を設けたから、排気用の通気部と吸気用の通気部が離れているので、排気ガスが触媒燃焼加熱部に供給されるのを防止することができ、安定した触媒燃焼が確保される。
【００４９】
また、請求項９に記載の発明によれば、衣類本体の背面に吸気用の通気部を設けるとともに、前面に排気用の通気部を設けたから、排気用の通気部と吸気用の通気部が離れているので、排気ガスが触媒燃焼加熱部に供給されるのを防止することができ、安定した触媒燃焼が確保される。
【図面の簡単な説明】
【図１】  本発明の第１の実施例の暖房装置の正面図
【図２】  同暖房装置の要部断面図
【図３】  同暖房装置の発熱部の斜視図
【図４】  本発明の第２の実施例の暖房装置の背面図
【図５】  同暖房装置の要部断面図
【図６】  本発明の第４の実施例の暖房装置の要部断面図
【図７】  本発明の第５の実施例の暖房装置の要部断面図
【図８】  本発明の第６の実施例の暖房装置の要部断面図
【図９】  本発明の第８の実施例の暖房装置の要部断面図
【図１０】  本発明の第９の実施例の暖房装置の要部断面図
【符号の説明】
１  発熱部
２  燃料タンク
４  触媒燃焼加熱部
５  制御部
６  衣類本体
７  ポケット
８  通気部
【図１】
0003843600.tif 000002
【図２】
0003843600.tif 000003
【図３】
0003843600.tif 000004
【図４】
0003843600.tif 000005
【図５】
0003843600.tif 000006
【図６】
0003843600.tif 000007
【図７】
0003843600.tif 000008
【図８】
0003843600.tif 000009
【図９】
0003843600.tif 000010
【図１０】
0003843600.tif 000011